(57)【要約】【課題】専用の検知手段を用いることなくジャム処理カバーの開閉を簡単な構成で検知することができるとともに、記録材を定着ローラから常に確実に分離して安定的に排出することができる定着装置を提供すること。【解決手段】記録材上に転写されたトナー像を圧接状態で回転する定着ローラ２０と加圧ローラ２１間で加熱及び加圧して記録材に定着し、トナー像が定着された記録材を分離爪２６によって分離して排出するとともに、記録材の排出側に開閉可能なジャム処理カバー２７を備えた定着装置８において、前記分離爪２６を本体側に残したまま、前記ジャム処理カバー２７を本体８Ａに対して開閉可能に設けるとともに、該ジャム処理カバー２７に記録材の通紙状態を検知するアクチュエータ３７を設け、該アクチュエータ３７をジャム処理カバー２７の開閉動作に連動して動かすようにする。【選択図】図８
2008268401.tif 000002
【特許請求の範囲】
【請求項１】
記録材上に転写されたトナー像を圧接状態で回転する定着ローラと加圧ローラ間で加熱及び加圧して記録材に定着し、トナー像が定着された記録材を分離爪によって分離して排出するとともに、記録材の排出側に開閉可能なジャム処理カバーを備えた定着装置において、
前記分離爪を本体側に残したまま、前記ジャム処理カバーを本体に対して開閉可能に設けるとともに、該ジャム処理カバーに記録材の通紙状態を検知するアクチュエータを設け、該アクチュエータをジャム処理カバーの開閉動作に連動して動かすことを特徴とする定着装置。
【請求項２】
前記アクチュエータと一体に回動する遮光板を設け、本体側に設けられたジャム検知用のフォトインタラプタから出射される光を前記遮光板によって遮光／開光することによって前記ジャム処理カバーの開閉を検知することを特徴とする請求項１記載の定着装置。
【請求項３】
前記ジャム処理カバーに設けられた排出ガイド部を該ジャム処理カバーの開閉動作に連動して動かすことを特徴とする請求項１又は２記載の定着装置。
【請求項４】
前記ジャム処理カバーを開くと排出部の開口面積が拡大する方向に前記排出ガイド部を動かすことを特徴とする請求項３記載の定着装置。
【請求項５】
潜像を形成する像担持体と、該像担持体上に形成された潜像をトナー像として現像する現像手段と、前記像担持体上のトナー像を記録材上に転写する転写手段と、該転写手段によって記録材上に転写されてトナー像を加熱及び加圧して定着する定着手段を備えた画像形成装置において、
前記定着手段を請求項１〜４の何れかに記載の定着装置で構成したことを特徴とする画像形成装置。
【発明の詳細な説明】
【技術分野】
【０００１】
本発明は、記録材の排出側に開閉可能なジャム処理カバーを備えた定着装置とこれを備えた画像形成装置に関するものである。
【背景技術】
【０００２】
電子写真方式を採用する複写機やプリンタ等の画像形成装置には、像担持体から記録材上に転写されたトナー像を定着するための定着装置が備えられている。この定着装置としては、互いに当接して回転する定着ローラと加圧ローラを備えた２ローラ方式の他、加熱部材として無端状の定着ベルトを使用するベルト方式を採用したものが知られている。
【０００３】
例えば、２ローラ方式を採用する定着装置は、記録材上に転写されたトナー像を圧接状態で回転する定着ローラと加圧ローラ間で加熱及び加圧して記録材に定着し、トナー像が定着された記録材を分離爪によって分離して排出するものである。
【０００４】
ところで、斯かる定着装置においては、ジャムした記録材を取り除くために開閉可能なジャム処理カバーが記録材の排出側に設けられており、ジャムが発生した場合にはジャム処理カバーが開けられ、ジャムした記録材を容易に取り除くことができるよう構成されている。
【０００５】
ジャム処理に関して例えば特許文献１には、ジャム処理カバー側に分離爪を設け、定着装置本体側に設けられた第１回動支点とジャム処理カバー側に設けられた第２回動支点とを連結する回動アームを用いてジャム処理カバーを開閉動作させることによって、ジャム発生時に定着ローラの周囲を広く外部に開口させてジャムした記録材を取り除き易くする提案がなされている。
【特許文献１】特開２００３−２５５７４８号公報
【発明の開示】
【発明が解決しようとする課題】
【０００６】
ところで、定着装置の本体側にはジャムの発生を光学的に検知するフォトインタラプタ等のジャム検知センサが設けられているが、ジャム処理カバーの開閉を検知するプッシュスイッチ等の専用の検知センサが設けられていたため、部品点数が増えて構造が複雑化するとともに、コストアップを招くという問題があった。
【０００７】
又、特許文献１において提案された構成では、分離爪がジャム処理カバー側に設けられていたため、ジャム処理カバーの開閉動作によって分離爪の定着ローラへの当たりが悪くなったり、ジャム処理カバーを開いた状態で分離爪に手が触れる可能性があるという問題があった。
【０００８】
従って、本発明は、専用の検知手段を用いることなくジャム処理カバーの開閉を簡単な構成で検知することができ、部品点数の削減と構造単純化及びコストダウンを図ることができるとともに、分離爪の定着ローラへの当たりの悪化を招くことなく記録材を定着ローラから常に確実に分離して安定的に排出することができる定着装置とこれを備えた画像形成装置を提供することを目的とする。
【０００９】
ところで、ジャム処理カバーには、記録材の排出をガイドするための排出ガイド部が設けられているが、この排出ガイド部はジャム処理カバーに固定されて動くことがないため、ジャム発生時にジャム処理カバーを開いても十分大きなジャム処理空間を確保することができず、ジャムした記録材を取り除きにくくてメンテナンス性に劣るという問題もあった。
【００１０】
従って、本発明は、ジャム発生時にジャム処理カバーを開くと十分大きなジャム処理空間を確保することによって記録材の除去作業の容易化を図ることができる定着装置及びこれを備えた画像形成装置を提供することにある。
【課題を解決するための手段】
【００１１】
上記目的を達成するため、請求項１記載の発明は、記録材上に転写されたトナー像を圧接状態で回転する定着ローラと加圧ローラ間で加熱及び加圧して記録材に定着し、トナー像が定着された記録材を分離爪によって分離して排出するとともに、記録材の排出側に開閉可能なジャム処理カバーを備えた定着装置において、前記分離爪を本体側に残したまま、前記ジャム処理カバーを本体に対して開閉可能に設けるとともに、該ジャム処理カバーに記録材の通紙状態を検知するアクチュエータを設け、該アクチュエータをジャム処理カバーの開閉動作に連動して動かすことを特徴とする。
【００１２】
請求項２記載の発明は、請求項１記載の発明において、前記アクチュエータと一体に回動する遮光板を設け、本体側に設けられたジャム検知用のフォトインタラプタから出射される光を前記遮光板によって遮光／開光することによって前記ジャム処理カバーの開閉を検知することを特徴とする。
【００１３】
請求項３記載の発明は、請求項１又は２記載の発明において、前記ジャム処理カバーに設けられた排出ガイド部を該ジャム処理カバーの開閉動作に連動して動かすことを特徴とする。
【００１４】
請求項４記載の発明は、請求項３記載の発明において、前記ジャム処理カバーを開くと排出部の開口面積が拡大する方向に前記排出ガイド部を動かすことを特徴とする。
【００１５】
請求項５記載の発明は、潜像を形成する像担持体と、該像担持体上に形成された潜像をトナー像として現像する現像手段と、前記像担持体上のトナー像を記録材上に転写する転写手段と、該転写手段によって記録材上に転写されてトナー像を加熱及び加圧して定着する定着手段を備えた画像形成装置において、前記定着手段を請求項１〜４の何れかに記載の定着装置で構成したことを特徴とする。
【発明の効果】
【００１６】
請求項１記載の発明によれば、ジャム処理カバーに設けられた記録材の通紙状態を検知するアクチュエータをジャム処理カバーの開閉動作に連動して動かすようにしたため、このアクチュエータの動きを例えば本体側に既設のジャム検知手段によって検知することができ、専用の検知手段を用いることなくジャム処理カバーの開閉を簡単な構成で検知することができ、部品点数の削減と構造単純化及びコストダウンを図ることができる。
【００１７】
又、分離爪がジャム処理カバー側に設けられないため、ジャム処理カバーの開閉動作によって分離爪の定着ローラへの当たりが悪くなったり、ジャム処理カバーを開いた状態で分離爪に手が触れる可能性がなく、記録材を定着ローラから常に確実に分離してこれを安定的に排出することができる。
【００１８】
請求項２記載の発明によれば、本体側に設けられたジャム検知用のフォトインタラプタから出射される光をアクチュエータと一体に回動する遮光板にて遮光／開光することによってジャム処理カバーの開閉を光学的に検知するようにしたため、既設のフォトインタラプタをジャム処理カバーの開閉検知にも共用することができ、部品点数の削減と構造単純化及びコストダウンを図ることができる。
【００１９】
請求項３及び４記載の発明によれば、ジャム処理カバーを開くと排出部の開口面積が拡大する方向に排出ガイド部を動かすことによって排出側に十分大きなジャム処理空間を確保することができ、この大きなジャム処理空間から手を入れてジャムした記録材を容易に取り出すことができ、メンテナンス性の向上を図ることができる。
【００２０】
請求項５記載の発明によれば、定着装置を備えた画像形成装置の部品点数の削減と構造単純化及びコストダウンとメンテナンス性の向上を図ることができる。
【発明を実施するための最良の形態】
【００２１】
以下に本発明の実施の形態を添付図面に基づいて説明する。
［画像形成装置］
図１は本発明に係る画像形成装置の一形態としてのレーザビームプリンタの側断面図である。
【００２２】
図示のレーザビームプリンタ１は、箱状の本体（筐体）２を備えており、該本体２の上面の中央部には傾斜した凹状の排紙トレイ３が設けられている。そして、本体２の前面（図１の右側が前方）上部には開閉可能な手差しトレイ４が設けられ、本体２の下部には手前側に引き出すことができる矩形箱状の給紙カセット５が設けられている。
【００２３】
而して、レーザビームプリンタ１は、本体２内に設けられた搬送路Ｌに沿って用紙等の記録材を搬送しながら、不図示の端末等から送信される画像データに基づいて記録材に画像を形成するものであって、前記搬送路Ｌは、側面視略Ｌ字状を成して前記排紙トレイ３へと延びている。
【００２４】
又、レーザビームプリンタ１は、本体２の下部に設けられた給紙部６と、該給紙部６の上方の本体２内の略中央部に設けられた画像形成部７と、該画像形成部７の後方に配された定着装置８と、該定着装置８上方の本体２上面に設けられた凹状の排紙部９を備えている。
【００２５】
上記給紙部６は、記録材を収納するとともに、その記録材を前記画像形成部７に向けて給送するものであって、前記給紙カセット５と前記手差しトレイ４を含んで構成されている。ここで、給紙カセット５は、上面が開放された矩形箱状を成すものであって、その内部は複数枚の記録材が積層されて収容されている。
【００２６】
又、給紙部６には、給紙カセット５内の記録材を１枚ずつ取り出して搬送路Ｌへと送り出す給紙ローラ１０と反転ローラ１１が回転可能に設けられており、搬送路Ｌには、送り出された記録材を一時待機させた後に所定のタイミングで画像形成部７へと供給するレジストローラ１２が設けられている。
【００２７】
前記画像形成部７は、給紙部６から供給された記録材に画像を形成するものであって、本体２内の略中央部に回転可能に配された像担持体としての感光ドラム１３と、その周囲に配置された一次帯電器１４、現像手段である現像装置１５、転写手段である転写ローラ１６及びクリーニング装置１７と、これらの上方に配置されたレーザスキャナユニット（ＬＳＵ）１８、トナーホッパー１９等を備えている。
【００２８】
又、前記定着装置８は、画像形成部７において記録材に転写されたトナー像を当該記録材に定着させるためのものであって、互いに圧接されて回転する定着ローラ２０と加圧ローラ２１を備えている。
【００２９】
更に、前記排紙部９は、定着装置８においてトナー像が定着された記録材を本体２外へと排出するためのものであって、搬送路Ｌの末端に設けられた一対の排紙ローラ２２，２３と、搬送路Ｌを搬送される記録材を前記排紙ローラ２２，２３へと案内する縦リブ状の複数の搬送ガイドリブ２４及び本体２外へと排出される記録材を積載するための前記排紙トレイ３を備えている。尚、一方の排紙ローラ２３は、記録材の搬送力を高めるためにゴムローラで構成されている。
【００３０】
次に、以上の構成を有するレーザビームプリンタ１の画像形成動作について説明する。
【００３１】
例えばパーソナルコンピュータ（パソコン）等の端末から当該レーザビームプリンタ１にプリント開始信号が送信されると、画像形成部７においては、感光ドラム１３は不図示の駆動手段によって図１の矢印方向（時計方向）に回転駆動され、その表面が一次帯電器１４によって所定の電位に一様に帯電される。そして、端末から送信された画像データに基づくレーザ光がレーザスキャナユニット１８から出力されて感光ドラム１３上に照射されると、該感光ドラム１３上には静電潜像が形成される。そして、この感光ドラム１３上に形成された静電潜像は、現像装置１５によって現像剤であるトナーを用いて現像されてトナー像として可視像化される。
【００３２】
同時に給紙部６においては、例えば給紙カセット５内に収容された記録材は、給紙ローラ１０によって最上位のものから１枚ずつピックアップされ、１８０°方向へ反転されつつ反転ローラ１１を経てレジストローラ１２へと搬送される。このとき、給紙ローラ１０は、記録材の先端がレジストローラ１２に到達するまで駆動力を受けて回転する。
【００３３】
レジストローラ１２においては、記録材は、一時待機状態とされた後、感光ドラム１３上のトナー像に同期する所定のタイミングで画像形成部７へと供給される。このとき、給紙ローラ１０は駆動力を受けず、レジストローラ１２による記録材の搬送に従動して回転するため、記録材は、給紙ローラ１０とレジストローラ１２の間で引っ張られる。この状態で記録材にしわが発生するのを防ぐ機能を果たすのが反転ローラ１１である。
【００３４】
画像形成部７においては、感光ドラム１３と転写ローラ１６との間の転写ニップへと供給された記録材は、転写ローラ１６によって感光ドラム１３に押し付けられながら搬送されることによって、その表面（転写面）に感光ドラム１３上のトナー像が転写される。そして、トナー像が転写された記録材は、定着装置８へと搬送され、この定着装置８において定着ローラ２０と加圧ローラ２１によって挟み込まれて搬送される過程で加熱及び加圧されてトナー像の定着を受ける。尚、記録材へのトナー像の転写後に感光ドラム１３の表面に残留するトナー（転写残トナー）はクリーニング装置１７によって除去される。
【００３５】
而して、定着部８にて表面にトナー像が定着された記録材は、搬送路Ｌを上方へと搬送され、排紙ローラ２２，２３によって本体２の上部に設けられた排紙トレイ３に排出されて積載され、一連の画像形成動作が完了する。
［定着装置］
次に、本発明に係る前記定着装置８の実施の形態を添付図面に基づいて説明する。
【００３６】
＜実施の形態１＞
図２〜図５は本発明の実施の形態１に係る定着装置のジャム処理カバー閉状態を示す図、図６〜図９は同定着装置のジャム処理カバー開状態を示す図であり、図２及び図６は定着装置の斜視図、図３及び図７はジャム処理カバー内面の部分斜視図、図４及び図８は定着装置のセンサ部の断面図、図５及び図９は定着装置のアクチュエータ部の断面図である。
【００３７】
図４及び図５に示すように、定着装置８の本体８Ａ内の上下には定着ローラ２０と加圧ローラ２１が互いに圧接されて配されており、定着ローラ２０の内部にはハロゲンヒータ等の熱源２５が収容されている。そして本体８Ａ側には、図４に示すように定着ローラ２０の外周面に当接する分離爪２６が設けられている。この分離爪２６は、定着ローラ２０の外周に巻き付いた記録材を定着ローラ２０から分離させるものであって、図２に示すように、複数（図示例では６つ）の分離爪２６が本体８Ａの長手方向に並設されている。
【００３８】
又、定着装置８の排出側には、支点（図４参照）Ｏを中心として回動することによって開閉するジャム処理カバー２７が設けられており、該ジャム処理カバー２７の先端部の内面には排出ガイド部２８が長手方向に沿って設けられている。又、ジャム処理カバー２７には、一対の排出ローラ２９が長手方向に延びる回転軸３０に支持されて設けられており、図５に示すように、回転軸３０の長手方向一端にはギヤ３１が結着されている。ここで、本体８Ａ側には、定着ローラギヤ３２に噛合する大径ギヤ３３とこの大径ギヤ３３に噛合する小径ギヤ３４が回転可能に設けられており、図５に示すようにジャム処理カバー２７が閉じられている状態では、前記ギヤ３１は小径ギヤ３４に噛合している。従って、定着ローラ２０が回転駆動されると、その回転は定着ローラギヤ３２から大径ギヤ３３と小径ギヤ３４及びギヤ３１を経て回転軸３０に伝達され、該回転軸３０とこれに結着された前記排出ローラ２９が所定の回転速度で回転駆動され、本体８Ａ側に設けられた小径の排出ローラ３５も排出ローラ２９に当接した状態で従動回転する。
【００３９】
ところで、図３及び図７に示すように、ジャム処理カバー２７の内面の一部には、長手方向に延びる軸３６がその長手方向両端をリブ２７ａによって回動可能に軸支されて配されており、該軸３６には、図２に示すように、ジャム処理カバー２７の長手方向中央部に位置するアクチュエータ３７が一体に形成されている。このアクチュエータ３７は、くの字状に成形されており、その両端部は、ジャム処理カバー２７の長手方向中央部に形成された矩形孔２７ｂ，２７ｃをそれぞれ貫通して外部に突出している。尚、ジャム処理カバー２７は、図２に示す左右一対のリターンスプリング３８によって閉じ側に付勢されている。
【００４０】
又、図３及び図７に示すように、軸３６の長手方向一端には遮光板３９が一体に形成されており、この遮光板３９は、本体８Ａ側に設けられたジャム検知用のフォトインタラプタ４０の発光部と受光部間を移動することによって、フォトインタラプタ４０の発光部から出射される光を遮光／開光する機能を果たす。
【００４１】
而して、図４に示すように、軸３６とこれに一体に形成されたアクチュエータ３７及び遮光板３９は、リターンスプリング４１によって図４の反時計方向に付勢されており、図２〜図５に示すようにジャム処理カバー２７が閉じられている状態では、アクチュエータ３７の一端が図４に示すように本体８Ａの一部に当接して図示の姿勢を保持している。このとき、遮光板３９は、図３及び図５に示すようにフォトインタラプタ４０の発光部と受光部の間に位置して受光部からの光を遮断するため、受光部が光を検知せず、このことによってジャム処理カバー２７が閉じていることが検知される。
【００４２】
上述のようにジャム処理カバー２７が閉じられた状態で定着装置８が動作し、トナー像が転写された記録材が定着装置８に搬送されて定着ローラ２０と加圧ローラ２１との間の定着ニップ部を通過すると、その過程でトナー像が加熱及び加圧されて記録材上に定着され、トナー像が定着された記録材は排出ローラ２９，３５によって排出ガイド部２８に沿って定着装置８外へと排出される。
【００４３】
ところで、定着装置８内で記録材のジャムが発生した場合には、ジャムした記録材がアクチュエータ３７を押さえてこれを回動させるため、遮光板３９がフォトインタラプタ４０の発光部と受光部の間から退避して発光部からの光を開光するため、受光部が光を検知し、これによってジャムの発生が検知される。ジャムが発生すると、図６〜図９に示すように、ジャム処理カバー２７を支点Ｏを中心として回動させてこれを開いてジャムした記録材が取り除かれる。ジャムした記録材を取り除いた後、ジャム処理カバー２７を閉じると、遮光板３９が図５に示すようにフォトインタラプタ４０の発光部と受光部の間に位置して遮光するため、ジャム処理カバー２７が閉じられたことが検知される。
【００４４】
以上のように、本実施の形態では、本体８Ａ側に設けられたジャム検知用のフォトインタラプタ４０から出射される光をアクチュエータ３７と一体に回動する遮光板３９にて遮光／開光することによってジャム処理カバー２７の開閉を光学的に検知するようにしたため、既設のフォトインタラプタ４０をジャム処理カバー２７の開閉検知にも共用することができ、部品点数の削減と構造単純化及びコストダウンを図ることができる。
【００４５】
又、分離爪２６が定着装置８の本体８Ａ側に設けられ、この分離爪２６を本体８Ａ側に残したままジャム処理カバー２７を開くことができるため、該ジャム処理カバー２７の開閉動作によって分離爪２６の定着ローラ２０への当たりが悪くなったり、ジャム処理カバー２７を開いた状態で分離爪２６に手が触れる可能性がなく、記録材を定着ローラ２０から常に確実に分離してこれを安定的に排出することができる。
【００４６】
＜実施の形態２＞
次に、本発明の実施の形態２に係る定着装置を図１０〜図１３に基づいて説明する。
【００４７】
図１０、図１１は本発明の実施の形態２に係る定着装置のジャム処理カバーの閉状態を示す部分斜視図と断面図、図１２、図１３は同定着装置のジャム処理カバーの開状態を示す斜視図と断面図であり、これらの図においては図２〜図９において示したものと同一要素には同一符号を付しており、以下、それらについての再度の説明は省略する。
【００４８】
本実施の形態は、プレート状の排出ガイド部２８をジャム処理カバー２７に回動可能に設け、ジャム処理に際してジャム処理カバー２７を開くと排出部の開口面積が拡大する方向に排出ガイド部２８を回動させるようにしたことを特徴としており、他の構成は実施の形態１のそれと同じである。
【００４９】
図１１〜図１３に示すように、定着装置８の本体８Ａの長手方向一端にはリブ状のガイド４２が垂直に立設されており、該ガイド４２の上面４２ａは記録材の排出方向（図１１及び図１３の右方）に向かって斜め下方に傾斜する斜面を形成している。
【００５０】
又、前記排出ガイド部２８は、リターンスプリング等の不図示の付勢手段によって図１１及び図１３の反時計方向に付勢さてており、その先端は前記ガイド４２の斜面状の上面４２ａに常時係合している。
【００５１】
而して、図１０及び図１１に示すようにジャム処理カバー２７が閉じている通常使用状態では、排出ガイド部２８はその先端がガイド４２の頂部に係合して図１１示す姿勢を保持して記録材の排出をガイドする。
【００５２】
そして、定着装置８内で記録材のジャムが発生したために、図１２及び図１３に示すように、ジャム処理カバー２７を回動させてこれを開くと、排出ガイド部２８は、その先端がガイド４２の上面４２ａに係合しながら回動してその姿勢を変えてゆき、ジャム処理カバー２７が完全に開くと、図１３に示すように略水平状態を保って排出側に十分大きなジャム処理空間を確保する。このため、ユーザーは、大きなジャム処理空間から手を入れてジャムした記録材を容易に取り出すことができ、この結果、メンテナンス性が高められる。
【００５３】
その他、本実施の形態においても前記実施の形態と同様の効果が得られる。
【００５４】
尚、以上は本発明を特にレーザビームプリンタ及びこれに備えられた２ローラ方式の定着装置に適用した形態について説明したが、本発明は、プリンタの他、複写機やファクシミリ装置等の他の任意の画像形成装置及びこれに備えられたベルト方式の定着装置に対しても同様に適用可能であることは勿論である。
【図面の簡単な説明】
【００５５】
【図１】本発明に係る画像形成装置（レーザビームプリンタ）の側断面図である。
【図２】本発明の実施の形態１に係る定着装置のジャム処理カバー閉状態を示す斜視図である。
【図３】閉状態にあるジャム処理カバー内面の部分斜視図である。
【図４】本発明の実施の形態１に係る定着装置のセンサ部の断面図（ジャム処理カバー閉状態）である。
【図５】本発明の実施の形態１に係る定着装置のアクチュエータ部の断面図（ジャム処理カバー閉状態）である。
【図６】本発明の実施の形態１に係る定着装置のジャム処理カバー開状態を示す斜視図である。
【図７】開状態にあるジャム処理カバー内面の部分斜視図である。
【図８】本発明の実施の形態１に係る定着装置のセンサ部の断面図（ジャム処理カバー開状態）である。
【図９】本発明の実施の形態１に係る定着装置のアクチュエータ部の断面図（ジャム処理カバー開状態）である。
【図１０】本発明の実施の形態２に係る定着装置のジャム処理カバーの閉状態を示す斜視図である。
【図１１】本発明の実施の形態２に係る定着装置のジャム処理カバーの閉状態を示す断面図である。
【図１２】本発明の実施の形態２に係る定着装置のジャム処理カバーの開状態を示す斜視図である。
【図１３】本発明の実施の形態２に係る定着装置のジャム処理カバーの開状態を示す断面図である。
【符号の説明】
【００５６】
１              レーザビームプリンタ（画像形成装置）
２              本体
３              排紙トレイ
４              手差しトレイ
５              給紙カセット
６              給紙部
７              画像形成部
８              定着装置
８Ａ            定着装置本体
９              排紙部
１０            給紙ローラ
１１            反転ローラ
１２            レジストローラ
１３            感光ドラム（像担持体）
１４            一次帯電器
１５            現像装置（現像手段）
１６            転写ローラ（転写手段）
１７            クリーニング装置
１８            レーザスキャナユニット（ＬＳＵ）
１９            トナーホッパー
２０            定着ローラ
２１            加圧ローラ
２２，２３      排紙ローラ
２４            搬送ガイドリブ
２５            熱源
２６            分離爪
２７            ジャム処理カバー
２７ａ          ジャム処理カバーのリブ
２７ａ，２７ｂ  ジャム処理カバーの矩形孔
２８            排出ガイド部
２９            排出ローラ
３０            回転軸
３１            ギヤ
３２            定着ローラギヤ
３３            大径ギヤ
３４            小径ギヤ
３５            排出ローラ
３６            軸
３７            アクチュエータ
３８            リターンスプリング
３９            遮光板
４０            フォトインタラプタ
４１            リターンスプリング
４２            ガイド
４２ａ          ガイドの上面
Ｌ          搬送路
【図１】
2008268401.tif 000003
【図２】
2008268401.tif 000004
【図３】
2008268401.tif 000005
【図４】
2008268401.tif 000006
【図５】
2008268401.tif 000007
【図６】
2008268401.tif 000008
【図７】
2008268401.tif 000009
【図８】
2008268401.tif 000010
【図９】
2008268401.tif 000011
【図１０】
2008268401.tif 000012
【図１１】
2008268401.tif 000013
【図１２】
2008268401.tif 000014
【図１３】
2008268401.tif 000015